(57)【要約】      （修正有）【課題】パネル壁に対し、長時間にわたって位置がずれることなく、安定的に取付体及び被取付体を取付けることが可能であるとともに、取付けが容易な取付具及び取付構造を提供する。【解決手段】貫通孔Ｂに嵌合可能に形成された筒状の本体部２と、本体部２の内面に形成された雌ねじ部３と、本体部２の外周面に形成されたフランジ部４と、取付具１を吊下げ可能な紐状体を係合する係合部５とを備え、貫通孔Ｂに本体部２が嵌合された状態の取付具の姿勢を取付姿勢とし、取付姿勢の取付具を平面視したとき、本体部２及びフランジ部４は貫通孔Ｂを通過可能な形状に形成されており、取付姿勢の取付具を正面視したとき、雌ねじ部３は貫通孔Ｂの中心と同心となるように形成されており、係合部５は、本体部２において、本体部２の中心から偏心した位置に形成されたことを特徴とする。【選択図】図２
0003208833.tif 000002
【実用新案登録請求の範囲】
【請求項１】
パネル壁に被取付体を取り付けるために、前記パネル壁に穿設された所定径の貫通孔の裏面側に設置される取付具であって、前記貫通孔に嵌合可能に形成された筒状の本体部と、前記本体部の内面に形成された雌ねじ部と、前記本体部の外周面に形成された、前記貫通孔からの取付具の脱落を防止するフランジ部と、取付具を吊下げ可能な紐状体を係合する係合部とを備え、前記貫通孔に前記本体部が嵌合された状態の取付具の姿勢を取付姿勢とし、取付姿勢の取付具を平面視したとき、前記本体部及びフランジ部は前記貫通孔を通過可能な形状に形成されており、前記係合部は、前記本体部において、本体部の中心から偏心した位置に形成されたことを特徴とする取付具。
【請求項２】
前記係合部は、前記取付姿勢をとる取付具において、取付具の重心よりも上方に位置するように設けられており、紐状体に吊り下げられた状態の前記取付具の姿勢を吊下げ姿勢としたとき、前記前記取付姿勢と吊下げ姿勢とで、取付具の上下方向の向きが同じになることを特徴とする請求項１に記載の取付具。
【請求項３】
前記取付姿勢をとる取付具のフランジ部上端部と係合部との間の最短距離が、前記貫通孔の所定径よりも長くなるように設けられたことを特徴とする請求項１又は２に記載の取付具。
【請求項４】
前記係合部は、前記本体部の前面と後面とを貫通する２つの通孔によって構成され、前記紐状体は、Ｕ字状に折り返した両端部が各通孔の後面側から前面側に挿通した状態で前記係合部に係合されたことを特徴とする請求項１〜３のいずれか１項に記載の取付具。
【請求項５】
請求項１〜４のいずれか１項に記載の取付具を備えて構成される取付構造であって、パネル壁の垂直方向に間隔をおいて形成された所定径の複数の貫通孔を覆うように前記パネル壁表面に設置されるベース基板と、前記複数の貫通孔の裏面にそれぞれ設置される複数の前記取付具と、前記取付具の雌ねじ部に螺合可能な雄ねじ部を有する複数の螺合部材とを備え、前記ベース基板は、パネル壁表面に設置したときに取付具の雌ねじ部と同心位置に開孔が形成されており、前記貫通孔ごとに、前記開孔を通じて螺合部材が雌ねじ部に螺合され、取付具とベース基板とでパネル壁を挟み込むようにしてベース基板をパネル壁に固定することを特徴とする取付構造。
【考案の詳細な説明】
【技術分野】
【０００１】
本考案は、建築物の内壁などに使用されるパネル壁の表面に、被取付体として、フック、Ｌ型金具などの金具類のほか、ホワイトボード、ディスプレイ、鏡、棚、家具、絵画、エアコンなどの物品を取り付けるための取付具及びその取付具を使用した取付構造に関するものである。
【背景技術】
【０００２】
壁面に器具を取り付けるための取付け具として、特許文献１に示すものが知られている。この取付け具は、ブロック体にねじ孔を設け、ブロック体のねじ孔の近くの位置に紐体を連結した構成とされている。取付け具を取り付けるには、壁面材に取付け具を挿通可能な径の貫通孔を穿設し、紐体を手元に残したまま、貫通孔から壁面材の裏面隙間に向けて取付け具を挿入する。取付け具を隙間内に押し込むと、貫通孔から壁面材の表面側に紐体が引き出された状態となり、取付け具は隙間内に垂れ下がり、紐体を引っ張ると取付け具はねじ孔が貫通孔と連通する状態で、取付け具が壁面材の裏面側に当接する。器具に挿通したボルトをねじ孔にねじ込めば器具（被取付体）を壁面表面に取り付けることができる。
【先行技術文献】
【特許文献】
【０００３】
【特許文献１】特開２０００−２７４４１８号公報
【考案の概要】
【考案が解決しようとする課題】
【０００４】
ところで、上記取付け具は、壁面の貫通孔の径に比べて、貫通孔を挿通するボルト径はかなり小さい。器具は、ボルトにより取付け具と器具とで壁面材を挟み込む摩擦力のみによって、壁面に固定されることになる。したがって、時間経過とともに、器具の重みによって、取付け具の位置がずれたり、引いては、器具及び取付け具がぐらついたりするという問題があった。
【０００５】
そこで、本考案は、被取付体が重量物であったとしても、パネル壁に対し、長時間にわたって位置がずれることなく、安定的に取付体及び被取付体を取付けることが可能であるとともに、取付けが容易な取付具及び取付構造を提供することを目的とする。
【課題を解決するための手段】
【０００６】
上記目的を達成するため、本考案の一態様としての取付具は、パネル壁に被取付体を取り付けるために前記パネル壁に穿設された所定径の貫通孔の裏面側に設置される取付具であって、前記貫通孔に嵌合可能に形成された筒状の本体部と、前記本体部の内面に形成された雌ねじ部と、前記本体部の外周面に形成された、前記貫通孔からの取付具の脱落を防止するフランジ部と、取付具を吊下げ可能な紐状体を係合する係合部とを備え、前記貫通孔に前記本体部が嵌合された状態の取付具の姿勢を取付姿勢とし、取付姿勢の取付具を平面視したとき、前記本体部及びフランジ部は前記貫通孔を通過可能な形状に形成されており、取付姿勢の取付具を正面視したとき、前記雌ねじ部は前記貫通孔の中心と同心となるように形成されており、前記係合部は、前記本体部において、本体部の中心から偏心した位置に形成されたことを特徴とする。
【０００７】
上記態様の取付具を用いて、被取付体をパネル壁に取り付けるには、紐状体を手元に保持した状態で、パネル壁の貫通孔から取付具を挿入し、取付具がパネル壁の裏面側で完全に紐状体によって吊り下げられた状態（以下、「吊下げ状態」という）とする。その状態で紐状体を貫通孔から前方上方に向けて引っ張ることで、本体部を貫通孔に導入させ、取付具を貫通孔の裏面側に設置することができる。
【０００８】
本態様の取付具においては、本体部が貫通孔に嵌合する形状に形成されている。これにより、被取付具と取付具のフランジ部とでパネル壁を挟み込む力のみならず、本体部でも取付具にかかる荷重を支持可能なため、長時間にわたって位置ずれを生じることなく、被取付体が重量物であったとしても、安定的に取付具及び被取付体をパネル壁に取付けることが可能となる。
【０００９】
さらに、上記態様の取付具を用いて構成される取付構造であって、パネル壁の垂直方向に間隔をおいて形成された所定径の複数の貫通孔を覆うようにパネル壁表面に設置されるベース基板と、前記複数の貫通孔の裏面にそれぞれ設置される前記取付具と、前記取付具の雌ねじ部に螺合可能な雄ねじ部を有する複数の螺合部材とを備え、前記ベース基板は、パネル壁表面に設置したときに取付具の雌ねじ部と同心位置に開孔が形成されており、前記貫通孔ごとに、前記開孔を通じて螺合部材が雌ねじ部に螺合され、取付具とベース基板とでパネル壁を挟み込むようにしてベース基板をパネル壁に固定する取付構造を採用することも可能である。
【００１０】
上記態様の取付構造によれば、パネル壁に対して取付具とベース基板を一体的に取付けることにより、取付具のフランジ部及び本体部とベース基板とで被取付体の荷重を分散して保持することが可能となる。さらに、取付構造を取り付けた部分のパネル壁を補強するのと同じ効果を得ることもできる。
【００１１】
これにより、取付構造の耐荷重性能に関して、取付構造に用いた取付具の数を単純に加算した性能の増加にとどまらず、それを大幅に越えて相乗的に性能を向上させることが可能となる。したがって、上記取付け構造を用いることで、被取付体として、より重量のあるディスプレイ、エアコン、家具等の大型の重量物を安定的にパネル壁に取り付けることが可能となる。
【００１２】
上述したように、本態様では、取付具の本体部がパネル壁の貫通孔に嵌合可能な形状とされる。ところで、このような形状の本体部を貫通孔に導入する際、紐状体の操作のみで本体部を貫通孔に導入するには困難を伴う。すなわち、取付具を取付姿勢を維持したまま、本体部を貫通孔に導入することは困難であり、実際の取付具は、いずれかの方向に傾きやすく、姿勢が安定しない。そのため、本体部が貫通孔の途中で引っかかり、本体部を貫通孔に完全に導入するのに手間がかかる。
【００１３】
本態様の取付具では、係合部を、本体部において、本体部の中心から偏心した位置に形成するようにしている。これにより、係合部は、吊下げ姿勢時に本体部中心よりも上側に位置するようになる。そして、吊下げ姿勢で係合部が貫通孔に臨むようになると、紐状体によって係合部が前方に引っ張られて本体部（取付具）が前傾し、フランジ部がパネル壁に当接する。これにより、取付具は、前傾した姿勢で保持される。
【００１４】
その状態で、さらに紐状体を引っ張ると、本体部外周面の上面が貫通孔の開口縁部の頂部に当接する。本体部は、貫通孔の開口縁部との接触箇所を中心に、本体部の下部側が紐状体に引っ張られて前方に回動する。その結果、取付具が取付姿勢に近づき、本体部がスムーズにスライドしながら貫通孔内に導入される。上述したように、本態様においては、本体部を貫通孔に導入する際に、あえて本体部を傾斜させることで、取付具の姿勢を安定させ、貫通孔内への本体部の導入を容易に行なうことが可能となる。
【考案の効果】
【００１５】
上記本考案の一態様に係る取付具によれば、本体部がパネル壁の貫通孔に嵌合可能な形状に形成されているため、被取付体が重量物であったとしても、長時間にわたって位置ずれを生じることなく、安定的に取付具及び被取付体をパネル壁に取付けることが可能となる。さらに、係合部が、本体部において、本体部の中心から偏心した位置に形成されているため、本体部が貫通孔に嵌合可能な形状に形成されているにもかかわらず、本体部を貫通孔内へ容易に導入することが可能となる。
また、パネル壁の垂直方向に間隔をおいて形成された所定径の複数の貫通孔を覆うようにパネル壁表面に設置されるベース基板と、複数の貫通孔の裏面にそれぞれ設置される上記態様の取付具と、取付具の雌ねじ部に螺合可能な雄ねじ部を有する複数の螺合部材とを備えた取付構造であって、ベース基板は、パネル壁表面に設置したときに取付具の雌ねじ部と同心位置に開孔が形成されており、貫通孔ごとに、開孔を通じて螺合部材が雌ねじ部に螺合され、取付具とベース基板とでパネル壁を挟み込むようにしてベース基板をパネル壁に固定する構成を採用することで、被取付体としてより重量のある大型の重量物を安定的にパネル壁に取り付けることが可能となる。
【図面の簡単な説明】
【００１６】
【図１】第１実施形態における、取付姿勢をとる取付具を示す正面図
【図２】図１の取付具を示す平面図
【図３】図１の取付具を示す側面図
【図４】図１の取付具に紐状体を係合させた状態を示す平面図
【図５】図１の取付具を貫通孔に挿入する様子を示すパネル壁断面図
【図６】図１の取付具を、係合部が貫通孔に臨む位置まで引き上げた状態を示すパネル壁断面図
【図７】図１の取付具を、本体部が貫通孔の開口縁部の頂部に当接した状態を示すパネル壁断面図
【図８】図１の取付具が取付姿勢をとる様子を示すパネル壁断面図
【図９】図１の取付具に被取付体が取り付けられた状態を示すパネル壁断面図
【図１０】第２実施形態の取付構造に使用されるベース基板を示す正面図
【図１１】図１０のベース基板を螺合部材でパネル壁に固定する前の様子を示すパネル壁断面図
【図１２】第２実施形態の取付構造を示すパネル壁断面図
【図１３】図１２の取付構造によって被取付体をパネル壁に取り付けた状態を示す図
【図１４】図１の取付具の変形例を示す側面図
【考案を実施するための形態】
【００１７】
［第１実施形態］
以下、本考案に係る取付具を図面に基づいて説明する。図１は、第１実施形態における、取付姿勢をとる取付具を示す正面図であり、図２は図１の取付具を示す平面図であり、図３は図１の取付具を示す側面図である。
【００１８】
図示のごとく、本実施形態における取付具１は、建築物の内壁等に使用されるパネル壁Ａに被取付体を取り付けるために、パネル壁Ａに穿設された所定径の貫通孔Ｂの裏面側に設置される金属製の取付具であって、貫通孔Ｂに嵌合可能に形成された筒状の本体部２と、本体部２の内面に形成された雌ねじ部３と、本体部２の外周面に形成された、前記貫通孔からの取付具の脱落を防止するフランジ部４と、取付具１を吊下げ可能な紐状体Ｃを係合する係合部５とを備える。なお、図中、二点鎖線は貫通孔Ａを表しており、図１では、貫通孔Ａに本体部２が嵌合された取付姿勢を示している。また、図２では、本体部２及びフランジ部４が貫通孔Ａを通過可能な形状に形成されていることを示している。
【００１９】
本体部２は、円筒状体を横向きにし、その中心軸Ｄを水平方向に向けた状態で、中心軸Ｄを挟んでその左右を一定幅で切り欠いた、正面視で俵形状に形成される。すなわち、本体部２の外周面は、上面および下面が断面円弧状の曲面に形成され、左右側面はそれぞれ平面状に形成される。なお、本体部２の径は、貫通孔Ａの所定径よりも若干小さいサイズとされ、取付具１の取付姿勢において、本体部２の上面及び下面が貫通孔Ａに接することにより、雌ねじ部３が貫通孔Ａの中心と同心に位置決めされた状態で保持される。
【００２０】
フランジ部４は本体部２の外周面の後端部において、径方向外向きに突設される。フランジ部４は板状で、外観形状が、上下方向に長い略矩形形状に形成され、上下方向長さが貫通孔の所定径よりも長くなるように、かつ、左右長さが貫通孔の所定径よりも短くなるように形成される。これにより、取付具が、取付姿勢をとるときは、フランジ部４のうち、上下方向に突設された部分が、貫通孔Ａの裏面に当接して、取付具が貫通孔Ａからパネル壁Ａから脱落するのを防止する。
【００２１】
係合部５は、取付姿勢の本体部２において、雌ねじ部３の上方、すなわち、本体部２の中心から偏心した位置に形成された、本体部２の前面と後面とを貫通する２つの通孔によって構成される。紐状体Ｃを係合部５に係合するには、図４に示すように、紐状体ＣをＵ字状に折り返し、紐状体Ｃの両端部を各通孔の後面側から前面側に挿通すればよい。
【００２２】
すなわち、本実施形態の取付具では、紐状体Ｃは、Ｕ字状に折り返した両端部が各通孔の後面側から前面側に挿通した状態で係合部５に係合されている。取付具１を操作するには、折り返した２本の紐状体Ｃを手に持って操作する。取付具１を取付けた後は、片方の紐状体Ｃを引っ張ることで紐状体Ｃを係合部５から離脱させることができる。これにより、紐状体Ｃを本体部２に対して着脱可能に係合させることが可能となる。
【００２３】
係合部５は、一つの通孔で構成することもできる。具体的には、一端側に抜け止めを設けた紐状体Ｃを用い、通孔に対して本体部２の後面側から前面側に紐状体Ｃを通して係合部５に係合させる。取付具１を取り付けた後は、紐状体Ｃを本体部２の後面側に落とし込めばよい。係合部５としては、接着や溶着等の手段によって紐状体Ｃを本体部２に固着するものであってもよい。
【００２４】
上記構成の取付具１をパネル壁Ａに取り付ける方法について説明する。先ず、図５に示すように、パネル壁Ａに所定径の貫通孔Ｂを穿設する。取付具１は、紐状体Ｃを手元に残した状態で、下向きにして底面側から貫通孔Ｂに挿入する。取付具１には、図２に示すように、フランジ部４の後面側の左右コーナ部及び本体部２の前面外縁部の全周にＲ加工が施されており、これにより、取付具１を容易に貫通孔Ａに挿入することが可能となる。
【００２５】
そして、取付具１をパネル壁Ａの裏面側において、紐状体Ｃによって吊下げられた状態とする。次に、紐状体Ｃを貫通孔Ｂの前方上方に向けて引っ張り、取付具１を引き上げる。図６に示すように、係合部５が貫通孔Ｂに臨むようになると、紐状体Ｃによって係合部５が前方に引っ張られて本体部２が前傾する。
【００２６】
本体部２が前傾した状態で、さらに紐状体Ｃを引っ張ると、図７に示すように、本体部２の外周面の上面が貫通孔Ｂの開口縁部の頂部に当接する。本体部２は、貫通孔Ｂの開口縁部との接触箇所を中心に、本体部２の下部側が紐状体Ｃに引っ張られて前方に回動する。その結果、取付具１が取付姿勢に近づき、本体部２がスムーズに貫通孔Ｂ内に導入される。このように、本実施形態においては、本体部２を貫通孔Ｂに導入する際に、あえて本体部２を傾斜させることで、取付具１の姿勢を安定させ、貫通孔Ｂ内への本体部２の導入をスムーズに行なうことが可能となる。
【００２７】
図８に示すように、取付具１の本体部２が貫通孔Ｂに導入され、フランジ部４がパネル壁Ａに当接した後（取付具１が取付姿勢をとった後）は、雄ねじ部を有する被取付体Ｅを雌ねじ部３に螺合する。これにより、取付具１は、図９に示すように、被取付体Ｅと取付具１とでパネル壁Ａを挟み込む力のみならず、本体部２でも取付具１にかかる荷重を支持することが可能となる。したがって、安定的に取付具１及び被取付体Ｅをパネル壁Ａに取付けることが可能となる。
【００２８】
被取付体Ｅは、前述のように、雌ねじ部３に螺合可能な雄ねじ部を備えたもの（例えば、フック等）であってもよいし、被取付体と、雄ねじ部を有する螺合部材とは別体として設け、螺合部材によって取付具１と被取付体Ｅとでパネル壁Ａを挟み込むようにしてもよい。
【００２９】
係合部５は、取付姿勢をとる取付具１において、取付具重心Ｇよりも上方に位置するように設けるのが好ましい。これにより、取付姿勢と吊下げ姿勢とで、取付具１の上下方向の向きが同じとなるため、本体部２を貫通孔Ｂに挿入した後、取付具１の向きを大きく変更する必要がなく、取付具１の取付けをスムーズに行なうことができる。
【００３０】
また、取付具１は、取付姿勢をとる取付具１のフランジ部４の上端部と係合部５との間の最短距離が、貫通孔Ｂの所定径よりも長くなるように設けるのが好ましい。その理由について説明すると、図６に示すように、係合部５が貫通孔Ｂに臨むようになって取付具１が前傾すると、フランジ部４の上端部がパネル壁Ａに接触する。
【００３１】
このとき、フランジ部４の上端部と係合部５との間の最短距離Ｆが貫通孔Ｂの所定径よりも短い場合には、フランジ部４の上端部が貫通孔Ｂの開口縁部に引っかかり、取付具１の引き上げ移動の障害となるおそれが生じる。一方、フランジ部４の上端部と係合部５との間の最短距離Ｆが、貫通孔Ｂの所定径よりも長い場合には、フランジ部４の上端部が貫通孔Ｂを越えてパネル壁Ａに接触するため、本体部２をスムーズに貫通孔Ｂ内に挿入することが可能となる。
【００３２】
［第２実施形態］
図１０〜図１３は、本考案に係る取付具を備えて構成される取付構造を示す図である。本実施形態では、第１実施形態の取付具を複数用いて、これら取付具とベース基板とを螺合部材によって一体的にパネル壁に取り付けることで耐荷重性能を大幅に向上させている点が特徴とされる。
【００３３】
図１０は、ベース基板を示す正面図であり、図１１は、取付具を取り付けたパネル壁表面に、螺合部材によってベース基板を固定する前の様子を示すパネル壁断面図であり、図１２は、図１０において取付具取り付け後の取付構造の様子を示すパネル壁断面図であり、図１３は、本実施形態の取付構造を用いて、被取付体として重量のある大型の絵画をパネル壁に取り付けた状態を示す図である。
【００３４】
本実施形態の取付構造８は、パネル壁Ａの垂直方向に間隔をおいて形成された所定径の複数の貫通孔Ｂを覆うようにパネル壁表面に設置されるベース基板６と、複数の貫通孔Ｂの裏面にそれぞれ設置される取付具１と、取付具１の雌ねじ部３に螺合可能な雄ねじ部を有する複数の螺合部材７とを備えており、貫通孔Ｂごとに、螺合部材７によって取付具１とベース基板Ｂとでパネル壁Ａを挟み込むようにしてベース基板６をパネル壁Ａに固定する点が特徴とされる。これにより、取付具１を使用しつつ、取付具１単体よりも耐荷重性に優れた取付構造８を得ることが可能となる。
【００３５】
以下、本実施形態の取付構造８について、具体的に、パネル壁Ａの垂直方向に間隔をおいて２つの所定径の貫通孔Ｂを形成した場合について説明する。ベース基板６は、図１０に示すように、金属板をＬ字状に折曲して形成される。ベース基板６には、パネル壁Ａ表面にベース基板１を設置したときに取付具１の雌ねじ部３及び係合部５と同心位置に、それぞれ第１開孔９及び第２開孔１０が予め形成される。
【００３６】
次に、本実施形態の取付構造８を形成する方法について説明する。先ず、第１実施形態で説明したようにして、パネル壁Ａに形成した２つの貫通孔Ｂにそれぞれ取付具１を取り付ける。その後、図１１に示すように、ベース基板６の第２開孔１０に紐状体Ｃを通し、ベース基板６をパネル壁Ａ表面に設置した状態で、第１開孔９を通じて螺合部材７を雌ねじ部３に螺合する。
【００３７】
これにより、図１２に示すように、取付具１とベース基板６とでパネル壁Ａを挟み込むようにしてベース基板６をパネル壁Ａに固定することが可能となり、さらに、本体部２でも取付具１にかかる荷重を支持可能なため、耐荷重性に優れ、安定的にベース基板６をパネル壁Ａに取付けることが可能となる。図１３は、本実施形態の取付構造８を用い、被取付体Ｅとして大型の絵画をパネル壁Ａに取り付けた状態を示す概略図である。図示のように、パネル壁Ａの一定高さにおいて、左右一対の取付構造８，８を設け、被取付体Ｅを載置して固定する。なお、取付構造８の数は適宜変更可能である。
【００３８】
上述のごとく、本実施形態の取付構造によれば、被取付体によって大きな荷重がかかった場合でも、取付構造全体で荷重を分散して保持することが可能となる。したがって、取付具単体で被取付体を取り付ける場合に比べて、大幅に耐荷重性能を向上させることができ、被取付体を長期にわたって安定的にパネル壁Ａに取付け保持することが可能となる。
【００３９】
以上、本考案の実施形態につき説明したが、本考案の範囲はこれに限定されるものではなく、考案の趣旨を逸脱しない範囲で種々の変更を加えて実施することができる。たとえば、第１実施形態及び第２実施形態では、取付具１のフランジ部４の表面が平面状である例について説明したが、これに限らず、フランジ部４の表面に凹凸を設けることも可能である。
【００４０】
具体的に、第１実施形態における取付具のフランジ部を変形した例を図１４に示す。図示のごとく、本変形例の取付具１は、フランジ部４の表面にパネル壁の裏面に突刺可能な１又は２以上の突起部１１を備える。これにより、被取付体あるいは雄ねじ部材を取付具の雌ねじ部に螺合する際に、取付具１が共回りするのを抑制することができる。
【００４１】
また、第１実施形態及び第２実施形態では、紐状体Ｃは、変形自在な一般的な紐状のものを使用する例について説明したが、これに限らず、紐状体としては弾性変形可能な線状乃至棒状のもの（以下、弾性を有する紐状体という）であってもよい。弾性を有する紐状体を使用すると、パネル壁の裏面側に挿入した取付具を自由に移動させることが可能となり、特に、パネル壁が天井面である場合に取付具１の本体部２を貫通孔Ｂに取り付ける際に有用である。
【００４２】
第１実施形態〜第４実施形態及び上記変形例に開示されている構成要件は互いに組合せ可能であり、組合せることにより、新しい技術的特徴を形成することができる。
【符号の説明】
【００４３】
１          取付具
２          本体部
３          雌ねじ部
４          フランジ部
５          係合部
６          ベース基板
７          螺合部材
８          取付構造
９          第１開孔
１０        第２開孔
１１        突起部
Ａ          パネル壁
Ｂ          貫通孔
Ｃ          紐状体
Ｄ          本体部の中心軸
Ｅ          被取付体
Ｆ          フランジ部の上端部と係合部との間の最短距離
Ｇ          取付具重心
【図１】
0003208833.tif 000003
【図２】
0003208833.tif 000004
【図３】
0003208833.tif 000005
【図４】
0003208833.tif 000006
【図５】
0003208833.tif 000007
【図６】
0003208833.tif 000008
【図７】
0003208833.tif 000009
【図８】
0003208833.tif 000010
【図９】
0003208833.tif 000011
【図１０】
0003208833.tif 000012
【図１１】
0003208833.tif 000013
【図１２】
0003208833.tif 000014
【図１３】
0003208833.tif 000015
【図１４】
0003208833.tif 000016